(57)【特許請求の範囲】
【請求項１】
頂壁と、この頂壁に対向する底壁と、前記頂壁と前記底壁との間に設けられた周壁とを備え、前記周壁が、前記頂壁と前記底壁とを連結してフレームを形成する背板と、この背板とは別体の表示板とからなり、前記フレームが前記表示板を着脱自在に保持する保持手段を有する自動販売機用見本缶において、
前記フレームが前記背板の中央部において上部フレームと下部フレームとに分割され、前記上部フレームが前記下部フレームに対して上方に移動可能に取り付けられており、
前記背板の外面に前記上部フレームを上方に移動した状態で係止する係止手段と、前記背板の内面中央部に前記表示板の周方向の移動を規制する一対のストッパとを設けたことを特徴とする自動販売機用見本缶。
【請求項２】
前記上部フレームの下端縁から垂直下方に向けて平行に突出し、先端部の外側側面に側方に向けて突出した係合部が形成された弾性変形可能な一対の棒状の伸延部と、前記下部フレームの上端部に前記一対の伸延部を挟んで対向するように設けられ、前記伸延部の外側側面に摺接する一対の係合突起と、前記係合突起の下方に間隔をおいて設けられ、前記各伸延部が内側に弾性変形した状態で入り込み、前記各伸延部を垂直方向に案内する断面略コの字形の垂直方向に延びるガイド部とからなる取付機構を備え、前記上部フレームを上方に移動すると前記各係合部が前記ガイド部と前記係合突起との間の隙間に係合して前記上部フレームが係止されるようにしたことを特徴とする請求項１に記載の自動販売機用見本缶。
【請求項３】
前記一対の伸延部の間に、前記上部フレームの下端縁から垂直下方に向けて突出し、前記上部フレームの移動ストロークの全長にわたって前記ガイド部の内面及びこの内面に対向する前記下部フレームの上端部に摺接する突出部を設けたことを特徴とする請求項２に記載の自動販売機用見本缶。
【請求項４】
前記下部フレームの上端縁から垂直上方に向けて平行に突出し、先端部の外側側面に側方に向けて突出した係合部が形成された弾性変形可能な一対の棒状の伸延部と、前記上部フレームの下端部に前記一対の伸延部を挟んで対向するように設けられ、前記伸延部の外側側面に摺接する一対の係合突起と、前記係合突起の上方に間隔をおいて設けられ、前記各伸延部が内側に弾性変形した状態で入り込み、前記各伸延部を垂直方向に案内する断面略コの字形の垂直方向に延びるガイド部とからなる取付機構を備え、前記上部フレームを上方に移動すると前記各係合部が前記ガイド部と前記係合突起との間の隙間に係合して前記上部フレームが係止されるようにしたことを特徴とする請求項１に記載の自動販売機用見本缶。
【請求項５】
前記一対の伸延部の間に、前記下部フレームの上端縁から垂直上方に向けて突出し、前記上部フレームの移動ストロークの全長にわたって前記ガイド部の内面及びこの内面に対向する前記上部フレームの下端部に摺接する突出部を設けたことを特徴とする請求項４に記載の自動販売機用見本缶。
【発明の詳細な説明】
【０００１】
【発明の属する技術分野】
本発明は、缶飲料等の自動販売機の商品見本として使用される自動販売機用見本缶に関するものである。
【０００２】
【従来の技術】
図９は従来の自動販売機用見本缶の一例を示す斜視図である。この見本缶１０１は、頂壁１０２と、頂壁１０２に対向する底壁１０３と、頂壁１０２と底壁１０３との間に設けられた周壁１０４とを備え、周壁１０４が、頂壁１０２と底壁１０３とを連結してフレーム１０７を形成する背板１０５と、背板１０５とは別体の表示板１０６とからなっている。
【０００３】
表示板１０６は透光性を有するシート部材からなり、その表面には実物缶の周壁に施された表示と同一の表示が印刷されている。頂壁１０２は、その周縁部から垂直下方に向けて形成され、表示板１０６の上端部外面に接する外周リブ１０８を有し、底壁１０３は、その周縁部から垂直上方に向けて形成され、表示板１０６の下端部外面に接する外周リブ１０９を有し、背板１０５の内面には、表示板１０６の両側縁１０６ａ、１０６ａに当接する一対のストッパ１１０、１１０が形成されている。外周リブ１０８、１０９、ストッパ１１０、１１０によって表示板１０６はその周方向に移動しないようにフレーム１０７に保持される。表示板１０６をフレーム１０７内で小さく丸め、底壁１０３に設けられている開口部１１１を介して下方に抜き取ることで表示板１０６をフレーム１０７から取り外せるようになっており、表示板１０６を交換することにより見本缶１０１を他の商品の見本にすることができる。この見本缶１０１を自動販売機の見本缶陳列部のステージ（不図示）に装着すると、ステージに取り付けられたランプ（不図示）から発せられた光が開口部１１１を通って見本缶１０１の内部に入り、表示板１０６の文字や絵柄が浮かび上がる。
【０００４】
【発明が解決しようとする課題】
上記従来の自動販売機用見本缶１０１では、フレーム１０７を形成する頂壁１０２と底壁１０３と背板１０５とが合成樹脂によって一体成形されており、フレーム１０７を成形する金型が内スライド構造であるため、金型費が高価であった。
【０００５】
また、上記の自動販売機用見本缶１０１では、表示板１０６を交換する際に、一旦見本缶１０１を見本缶陳列部のステージから取り外さなければならないため、表示板１０６交換の作業性が良くなかった。
【０００６】
本発明は上記のような問題点を解決するためになされたものであって、その目的は、金型費を削減することができ、表示板交換の作業性を向上することができる自動販売機用見本缶を提供することにある。
【０００７】
【課題を解決するための手段】
上記目的を達成するために、請求項１に記載の発明は、頂壁と、この頂壁に対向する底壁と、前記頂壁と前記底壁との間に設けられた周壁とを備え、前記周壁が、前記頂壁と前記底壁とを連結してフレームを形成する背板と、この背板とは別体の表示板とからなり、前記フレームが前記表示板を着脱自在に保持する保持手段を有する自動販売機用見本缶において、前記フレームが前記背板の中央部において上部フレームと下部フレームとに分割され、前記上部フレームが前記下部フレームに対して上方に移動可能に取り付けられており、前記背板の外面に前記上部フレームを上方に移動した状態で係止する係止手段と、前記背板の内面中央部に前記表示板の周方向の移動を規制する一対のストッパとを設けたことを特徴とするものである。
【０００８】
また、請求項２に記載の発明は、請求項１に記載の発明において、前記上部フレームの下端縁から垂直下方に向けて平行に突出し、先端部の外側側面に側方に向けて突出した係合部が形成された弾性変形可能な一対の棒状の伸延部と、前記下部フレームの上端部に前記一対の伸延部を挟んで対向するように設けられ、前記伸延部の外側側面に摺接する一対の係合突起と、前記係合突起の下方に間隔をおいて設けられ、前記各伸延部が内側に弾性変形した状態で入り込み、前記各伸延部を垂直方向に案内する断面略コの字形の垂直方向に延びるガイド部とからなる取付機構を備え、前記上部フレームを上方に移動すると前記各係合部が前記ガイド部と前記係合突起との間の隙間に係合して前記上部フレームが係止されるようにしたことを特徴とするものである。
【０００９】
また、請求項３に記載の発明は、請求項２に記載の発明において、前記一対の伸延部の間に、前記上部フレームの下端縁から垂直下方に向けて突出し、前記上部フレームの移動ストロークの全長にわたって前記ガイド部の内面及びこの内面に対向する前記下部フレームの上端部に摺接する突出部を設けたことを特徴とするものである。
【００１０】
また、請求項４に記載の発明は、請求項１に記載の発明において、前記下部フレームの上端縁から垂直上方に向けて平行に突出し、先端部の外側側面に側方に向けて突出した係合部が形成された弾性変形可能な一対の棒状の伸延部と、前記上部フレームの下端部に前記一対の伸延部を挟んで対向するように設けられ、前記伸延部の外側側面に摺接する一対の係合突起と、前記係合突起の上方に間隔をおいて設けられ、前記各伸延部が内側に弾性変形した状態で入り込み、前記各伸延部を垂直方向に案内する断面略コの字形の垂直方向に延びるガイド部とからなる取付機構を備え、前記上部フレームを上方に移動すると前記各係合部が前記ガイド部と前記係合突起との間の隙間に係合して前記上部フレームが係止されるようにしたことを特徴とするものである。
【００１１】
また、請求項５に記載の発明は、請求項４に記載の発明において、前記一対の伸延部の間に、前記下部フレームの上端縁から垂直上方に向けて突出し、前記上部フレームの移動ストロークの全長にわたって前記ガイド部の内面及びこの内面に対向する前記上部フレームの下端部に摺接する突出部を設けたことを特徴とするものである。
【００１３】
【発明の実施の形態】
以下、本発明の具体的な実施形態を図面を参照しながら説明する。
図１は本発明の一実施形態である自動販売機用見本缶の斜視図、図２はフレームの正面図、図３はフレームの背面図、図４はフレームの左側面図、図５はフレームの平面図、図６はフレームの底面図、図７は図３のＡ部拡大図である。
【００１４】
図１に示すように、見本缶１は、円形の頂壁２と、頂壁２に対向する円形の底壁３と、頂壁２と底壁３との間に設けられた円筒状の周壁４とを備え、周壁４は、その周方向の一部を形成し頂壁２と底壁３とを連結してフレーム７を形成する断面円弧形の背板５と、この背板５とは別体のほぼ円筒状の表示板６とからなっている。
【００１５】
表示板６はポリカーボネートやポリエチレンテレフタレート等の透光性を有する合成樹脂製の矩形のシート部材からなり、その表面には、実物缶の周壁に施された表示と同一の表示が印刷されている。表示板６は弾性を有しており、筒状に丸めた状態では、平坦な状態に戻ろうとする弾力を有する。
【００１６】
フレーム７は、合成樹脂射出成形品で、自動販売機のランプ（後述）の光を効率良く反射できるように白い合成樹脂によって形成されており、図１〜図４に示すように、背板５のほぼ中央部において上部フレーム７ａと下部フレーム７ｂとに分割されている。頂壁２は、その周縁部から垂直下方に向けて形成され、表示板６の上端部外面に接する外周リブ８を有し、上面には、図５に示すように、缶を開封するためのプルタブを模した凸状部９が形成されている。一方、底壁３は、その周縁部から垂直上方に向けて形成され、表示板６の下端部外面に接する外周リブ１０を有し、下面には、図６に示すように、自動販売機のランプから発せられた光を導入するための円形の開口部１１と、見本缶１を自動販売機の見本缶陳列部のステージ（後述）に固定するための一対の突起１２、１２とが形成されている。
【００１７】
背板５の内面には、表示板６の側縁６ａ、６ａに当接し、表示板６の周方向の移動を規制する一対のストッパ１３、１３が形成されている。ストッパ１３、１３は垂直方向に延びる断面Ｌ字形のもので、背板５の内面の中央部において、上部フレーム７ａと下部フレーム７ｂとの境界線を跨ぐように形成されている。図１に示すように、ストッパ１３、１３の先端は背板５の内面に沿って互いに背反する方向に折れ曲がっており、この折れ曲がった部分の内側に表示板６の側縁６ａ、６ａが挿入されるようになっている。頂壁２の外周リブ８、底壁３の外周リブ１０、ストッパ１３、１３によって表示板６が周方向に移動しないようにフレーム７に保持される。
【００１８】
図３、４に示すように、上部フレーム７ａと下部フレーム７ｂの境界部分の外面には、上部フレーム７ａを下部フレーム７ｂに対して上方に移動可能に取り付けるための一対の取付機構１４、１４が設けられている。図７に示すように、取付機構１４は、上部フレーム７ａの下端部外面に周壁４の周方向に間隔をおいて設けられ、上部フレーム７ａの下端縁から垂直下方に向けて平行に突出し、下端部の外側側面に側方に向けて突出した台形状の係合部１６が形成された弾性変形可能な一対の棒状の伸延部１５、１５と、下部フレーム７ｂの上端部外面に伸延部１５、１５を周壁４の周方向に挟んで対向するように設られ、伸延部１５、１５の外側側面に摺接する一対の係合突起１７、１７と、係合突起１７、１７の下方に間隔をおいて設けられ、伸延部１５、１５が内側に弾性変形した状態で入り込み、伸延部１５、１５を垂直方向に案内する断面コの字形の垂直方向に延びるガイド部１８と、伸延部１５、１５の間に設けられ、上部フレーム７ａの下端縁から垂直下方に向けて突出し、上部フレーム７ａの移動ストロークの全長にわたってガイド部１８の内面及びこの内面に対向する下部フレーム７ｂの上端部外面に摺接する舌片状の突出部１９とからなっている。
【００１９】
上部フレーム７ａが下部フレーム７ｂと接する位置にあるときには、実線で示すように係合部１６、１６がガイド部１８の側壁１８ａ、１８ａの下端部に係合しており、この状態で上部フレーム７ａに上方に押し上げるように力を加えると、係合部１６、１６の上側の斜辺１６ａ、１６ａがガイド部１８の側壁１８ａ、１８ａの下端部に当接しつつ内側に押され、伸延部１５、１５が内側に弾性変形して係合部１６、１６がガイド部１８の内部に入り込み、係合部１６、１６の先端部がガイド部１８の側壁１８ａ、１８ａの内面に摺接しながら上部フレーム７ａが上昇する。そして、係合部１６、１６の先端部が側壁１８ａ、１８ａの上端部を越えると、伸延部１５、１５がその弾性によって元の状態に復帰し、一点鎖線で示すように係合部１６、１６がガイド部１８と係合突起１７、１７との間の隙間に係合する。これによって、図８に示すように、上部フレーム７ａが上方に移動した状態で係止され、表示板６を頂壁２と底壁３との間に挿入できるようになる。
【００２０】
この状態で上部フレーム７ａを押し下げると、係合部１６、１６の下側の斜辺１６ｂ、１６ｂが側壁１８ａ、１８ａの上端部に当接しつつ内側に押され、伸延部１５、１５が内側に弾性変形し、係合部１６、１６がガイド部１８の内部に入り込み、係合部１６、１６の先端部がガイド部１８の側壁１８ａ、１８ａの内面に摺接しながら上部フレーム７ａが下降する。そして、係合部１６、１６がガイド部１８の側壁１８ａ、１８ａの下端部を越えると、伸延部１５、１５がその弾性によって元の状態に復帰し、実線で示すように係合部１６、１６が側壁１８ａ、１８ａの下端部に係合する。これによって上部フレーム７ａが下部フレーム７ｂと接した状態で係止される。
【００２１】
なお、上部フレーム７ａの移動中及び上部フレーム７ａが上端位置及び下端位置に係止された状態において、突出部１９が係止部１８の内面及び下部フレーム７ｂの上端部外面に接しているため、上部フレーム７ａが倒れることがない。また、突出部１９を設けたことによって伸延部１５、１５にかかる負担が軽減されるので、伸延部１５、１５の破損を防止することができる。
【００２２】
次に、上記のように構成した見本缶１の使用方法について説明する。
フレーム７の上部フレーム７ａを押し上げ、筒状に丸めた表示板６をフレーム７の前方から頂壁２と底壁３の間に挿入し、その下端縁を底壁３の外周リブ１０の内側に挿入するとともに両側縁６ａ、６ａをストッパ１３の内側に挿入する。そして、上部フレーム７ａを押し下げて表示板６の上端縁を頂壁２の外周リブ８の内側に挿入し、さらに上部フレーム７ａを下端位置まで押し下げると、上部フレーム７ａが下部フレーム７ｂに係止され、図１に示すような見本缶１となる。
【００２３】
完成した見本缶１の底壁３の下面の突起１２、１２を、自動販売機の見本缶陳列部のステージに形成された切り欠き（不図示）に係合させて見本缶１をステージに取り付ける。ステージにはランプ（不図示）が装着されており、このランプを点灯すると、ランプから発せられた光が見本缶１の底壁３の開口部１１を介して見本缶１の内部に入り、光が表示板６を透過して表示板６に印刷された絵柄や文字が浮かび上がる。
【００２４】
表示板６を交換する際には、まず、上部フレーム７ａを押し上げて上端位置に係止する。そして、表示板６の入れ替えが終わると、上部フレーム７ａを下端位置に押し下げる。この見本缶１では、上部フレーム７ａを上端位置で係止することができるため、両手がフリーとなり、表示板６の交換を能率良く行うことができる。
【００２５】
なお、本実施形態では、伸延部１５、１５及び突出部１９を上部フレーム７ａに設け、係合突起１７、１７及びガイド部１８を下部フレーム７ｂに設けた場合について説明したが、これに代えて、伸延部１５、１５及び突出部１９を下部フレーム７ｂに設け、係合突起１７、１７及びガイド部１８を上部フレーム７ａに設けるようにしても良い。
【００２６】
【発明の効果】
以上説明したように、本発明によれば、フレームを背板において上部フレームと下部フレームとに分割したことにより、上部フレームと下部フレームとが別の金型によって射出成形されるため、従来のようにフレームの頂壁、底壁、背板が一体的に形成されている場合に比べてフレームを成形する金型の構造が簡素になり、金型費が削減される。また、上部フレームを下部フレームに対して上方に移動可能に取り付けたことにより、フレームを自動販売機に取り付けたままで表示板を交換することができるので、表示板交換の作業性が向上する。
【００２７】
請求項２、４によるときは、上部フレームを上方に移動した状態で係止することができるため、表示板交換の際に両手がフリーとなり、表示板交換の作業性が向上する。
【００２８】
請求項３、５によるときは、上部フレームの移動中及び上部フレームが上端位置及び下端位置に係止された状態において、突出部が係止部の内面及びこの内面に対向する上部フレームまたは下部フレームの端部に接しているため、上部フレームが倒れることがない。また、突出部を設けたことによって伸延部にかかる負担が軽減されるので、伸延部の破損を防止することができる。
【図面の簡単な説明】
【図１】  本発明の一実施形態である自動販売機用見本缶の斜視図。
【図２】  フレームの正面図。
【図３】  フレームの背面図。
【図４】  フレームの左側面図。
【図５】  フレームの平面図。
【図６】  フレームの底面図。
【図７】  図３のＡ部拡大図。
【図８】  上部フレームを上方に移動した状態を示す斜視図。
【図９】  従来の自動販売機用見本缶の斜視図。
【符号の説明】
１  自動販売機用見本缶
２  頂壁
３  底壁
４  周壁
５  背板
６  表示板
７  フレーム
７ａ  上部フレーム
７ｂ  下部フレーム
８、９  外周リブ（保持手段の一部）
１３  ストッパ（保持手段の一部）
【図１】
0003874461.tif 000002
【図２】
0003874461.tif 000003
【図３】
0003874461.tif 000004
【図４】
0003874461.tif 000005
【図５】
0003874461.tif 000006
【図６】
0003874461.tif 000007
【図７】
0003874461.tif 000008
【図８】
0003874461.tif 000009
【図９】
0003874461.tif 000010